(57)【要約】【課題】先願発明の優れた特長を生かしつつ、操作性を一層向上させて分割波長板フィルターを位置調整ができる機構及び立体画像表示装置を提供すること。【解決手段】液晶表示パネルのフレーム２の両側部２ａにカム付きボルト４を螺設し、このカム付きボルト４のカム４ａが、フレーム４の内側に配置する分割波長板フィルター３の側面に作用するように設ける。これにより、両方のカム付きボルト４を同時に相反する方向に回動させれば、分割波長板フィルター３全体を横方向または上下方向に可動させることができ、調整時の画面の状態に応じてカム付きボルト４を操作することにより、適切に位置調整を容易に行うことができる。【選択図】　　　　　図１
2004101714.tif 000002
【特許請求の範囲】
【請求項１】
画像表示部において視差に対応して分割された各画像領域からそれぞれ得られた光の偏光方向を制御する分割波長板フィルターを、前記画像表示部の枠体内に位置調整可能に取付けるための位置調整機構であって、
前記分割波長板フィルターと前記画像表示部との相対位置が前記枠体の側部
及び／又は上部にて調整されるように構成した、
分割波長板フィルターの位置調整機構。
【請求項２】
前記位置調整を行う手段が、前記枠体の各辺において少なくとも１箇所に設けられ、前記分割波長板フィルターがその分割方向に対してほぼ垂直方向及び／又は平行方向に可動される、請求項１に記載した分割波長板フィルターの位置調整機構。
【請求項３】
前記位置調整を行う手段が、前記分割波長板フィルターの側面又は表面に接触してこれを可動させるように回動式に構成されている、請求項１に記載した分割波長板フィルターの位置調整機構。
【請求項４】
前記回動式の位置調整手段が、回動式摘み又は回動式カムからなっている、請求項３に記載した分割波長板フィルターの位置調整機構。
【請求項５】
前記位置調整の手段が、前記分割波長板フィルターの側面又は表面に圧接される、請求項１に記載した分割波長板フィルターの位置調整機構。
【請求項６】
前記位置調整の手段が、前記位置調整後に前記分割波長板フィルターに対し位置固定される、請求項１に記載した分割波長板フィルターの位置調整機構。
【請求項７】
前記位置調整手段が、前記枠体の上部から前記分割波長板フィルターを吊下げる吊下げ手段に取り付けられている、請求項１に記載した分割波長板フィルターの位置調整機構。
【請求項８】
画像表示部において視差に対応して分割された各画像領域からそれぞれ得られた光の偏光方向を制御する分割波長板フィルターを、前記画像表示部の枠体内に位置調整可能に取付けるための位置調整機構であって、
前記分割波長板フィルターと前記画像表示部との相対位置を前記枠体の下部にて調整する手段を有し、この位置調整手段が前記枠体に対して摺動可能に設
けられている、
分割波長板フィルターの位置調整機構。
【請求項９】
前記位置調整手段が、前記枠体の下辺において少なくとも１ヶ所に設けられ、前記分割波長板フィルターがその分割方向に対してほぼ垂直方向及び／又は平行方向に可動される、請求項８に記載した分割波長板フィルターの位置調整機構。
【請求項１０】
前記位置調整手段が、前記分割波長板フィルターの下端面に接触してこれを可動させるようにスライド式に構成されている、請求項８に記載した分割波長板フィルターの位置調整機構。
【請求項１１】
前記位置調整手段が、前記分割波長板フィルターの下端面を支持する支持手段を有する、請求項８に記載した分割波長板フィルターの位置調整機構。
【請求項１２】
前記分割波長板フィルターの下端面が前記支持手段に係合する上向き傾斜面を有する、請求項１１に記載した分割波長板フィルターの位置調整機構。
【請求項１３】
前記枠体の下辺が前記位置調整手段に係合する下向き傾斜面を有する、請求項１１に記載した分割波長板フィルターの位置調整機構。
【請求項１４】
前記傾斜面が少なくとも１箇所に設けられている、請求項１２又は１３に記載した分割波長板フィルターの位置調整機構。
【請求項１５】
前記分割波長板フィルターを下方へ付勢する付勢手段を有する、請求項８に記載した分割波長板フィルターの位置調整機構。
【請求項１６】
前記位置調整手段が、前記位置調整後に前記分割波長板フィルターに対し位置固定される、請求項８に記載した分割波長板フィルターの位置調整機構。
【請求項１７】
請求項１〜１６のいずれか１項に記載した位置調整機構が画像表示部に配置された、立体画像表示装置。
【発明の詳細な説明】
【０００１】
【発明の属する技術分野】
本発明は、分割波長板フィルターの位置調整機構及び立体画像表示装置に関するものである。
【０００２】
【従来の技術】
従来、３次元に画像を表現する技術については種々の試みがなされており、写真、映画、テレビジョン等多くの分野で３次元画像に関する表示方法が研究され、実用化されてきている。３次元画像の表示方式としてはめがね式とめがね無し式とに大別されるが、いずれの方式も両眼視差のある画像を観察者の左右の眼に入力し、立体映像として見ることができる。
【０００３】
ねがね式の代表的なものとしては、いわゆる赤、青めがねを着用するアナグリフ方式や偏光めがね方式がある。アナグリフなどの色分離方式は色表現の困難及び視野の劣化が生じるなど品質的に不利な点が多く、また偏光めがね方式では、一般的には２台の投影装置を用いる必要がある等の問題があったが、近年直視型の１つの表示装置にて立体表示を可能とする方法が提唱されている。
【０００４】
その偏光めがね方式を用いる立体画像表示装置の概要を図９に示す。
【０００５】
立体画像表示装置２００は、液晶パネル部２０１と、この液晶パネル部２０１に取り付けられた分割波長板フィルター部２０２とからなる構造を有している。液晶パネル部２０１は、一対の偏光板２０３、２０７の間に一対の透明支持基体２０４、２０６が形成され、その間にＲＧＢの画素が形成された画素液晶部２０５が設けられている。この液晶パネル部２０１の表面には、分割波長板フィルター部２０２が設けられており、例えば１ライン置きに分割波長板２０８を透明保護基板２０９の片面に配設した構造を有している。分割波長板フィルター部２０２はマイクロポール（μ−Ｐｏｌ）やマイクロポーラライザー（ｍｉｃｒｏｐｏｌａｒｉｚｅｒ）とも称される。
【０００６】
このような構造の立体画像表示装置２００は、液晶パネル部２０１から出た直線偏光の方向を回転させることにより、表示画面の偶数ラインと奇数ラインからの直線偏光を互いに直交するものに変換している。即ち偶数ラインからは液晶パネルからの直線偏光がそのまま出射され、奇数ラインでは分割波長板２０８の作用によりこれと直交する直線偏光とされる。
【０００７】
この表示装置の光を互いに直交する偏光方向のめがね２１０にて観測することにより、右眼には右眼用画像の光が入射し、左眼には左眼用画像の光が入射するため、このめがね２１０で見ることにより、フルカラーでちらつきのない立体画像を観測することが可能となる。
【０００８】
【発明に至る経過】
しかしながら、上記した分割波長板フィルター部２０２を液晶パネル部２０１などを有する表示装置に装着する際には、その設置位置が表示装置の所定領域（画素位置）と対応した位置に確実に固定されていることが重要であるが、観賞時に観察者の目の位置高さによってフィルターの最適配設位置が決定されるという特徴があるため、予め固定していた位置がその観測時での最適位置になっているとは限らない。
【０００９】
図１０にその状態を示す。この表示装置２２０は透明支持基体２２１、２２２に挟持された画素部２２３と、分割波長板フィルター部２２５とから構成される。
【００１０】
図１０において、観察位置ａにいる観察者にとって、最適な波長板フィルターの配設位置は実線で示した波長板フィルターの位置となるが、観察者の位置が観察位置ｂの場合は、同様に破線で示す波長板フィルターの位置となる。このように観察者の目の位置高さなどによって、或いは液晶パネルやモニターの角度などによっても、フィルターの最適配設位置が決定されるので、分割波長板フィルター部を予め固定していた位置が観測に最適位置になっているとは限らない。
【００１１】
このような要因により、分割波長板フィルター部が画素に対して数〜数十％（上記例では数十μｍ）ずれると、そのズレが画素間のクロストークとして大きく観測されてしまう。正しく設置されているときには、対応する画素からの光線は必ず対応する波長板領域を透過し、対応する画素以外の画素からの光線は対応する波長板領域を透過することがない。
【００１２】
しかし、分割波長板フィルター部が傾いている場合には、画素の僅かなずれ（絶対量は例えば５０μｍ程度）であっても、両端での垂直方向ずれ量としては大きくなり、対応する画素からの光線に対応する波長板領域を透過しないものが出てきてしまうことがある。その結果、各画像のクロストークが発生し、良好な立体画像を表示できないことがある。
【００１３】
そこで本発明者は、上記のような問題の解決策として、ノート型コンピューターに取り付け可能な分割波長板フィルターの位置調整のために、分割波長板フィルターの下部の左右に位置調整手段を設けることを特願２００１−２４７７７９号（平成１３年８月１７日出願：以下、先願発明と称する。）において既に提起している。この先願発明における一例を図１１〜図２５により説明する。
【００１４】
図１１に示すように、この立体画像表示装置１０は、ノート型コンピューター１１と、液晶パネル部２２とこれに取り付け可能な分割波長板フィルター部１２とで主要部が構成され、分割波長板フィルター部１２に左右一対の調整螺子１３Ｒ、１３からなる位置調整手段を設けている。
【００１５】
このノート型コンピューター１１は、折りたたみ構造の液晶パネル部２２を有しており、この液晶パネル部２２から視差を含む画像を表示することができる。液晶パネル部２２自体は、後述するように通常のノート型コンピューター１１の液晶表示部でよく、例えば、立体画像を表示するためのアプリケーションが開いていない場合は、通常の画像（動画並びに静止画）を表示することが可能である。
【００１６】
液晶パネル部２２と対向する側にはキーボード部２１が形成されており、このキーボード部２１に連続する形で手前側にはパームレスト部２３が設けられており、このパームレスト部２３のほぼ中央部にはポインターパッド部２４が形成されている。このキーボード部２１などは液晶パネル部２２にヒンジ部２５、２５を介して接続され、液晶パネル部２２はヒンジ部２５、２５を中心に回動可能とされる。従って、立体画像の観賞者は、液晶パネル部２２の角度をヒンジ部２５、２５を回動中心として操作できる。
【００１７】
液晶パネル部２２には、画像表示部分を保持する合成樹脂製の支持フレーム２７が周囲に設けられており、液晶パネル部２２の液晶表示部２８は支持フレーム２７に保持される形で構成されている。この液晶表示部２８の下側には、支持フレーム２７の一部を突条に形成した突条部２６が設けられている。この突条部２６は、分割波長板フィルター部１２の底部を保持するために、液晶パネル部２２を折りたたんだ場合でも支障がなく、且つ十分に分割波長板フィルター部１２の底部を係止できる程度に突出している。
【００１８】
分割波長板フィルター部１２は、後述するように、画素の１水平ライン置きに帯状の半波長板を配設した偏光制御部であり、特に分割波長板フィルター部１２の底部には、金属或いは合成樹脂製の所要の剛性を有する水平保持部材１５が設けられており、この水平保持部材１５の両端側に近い部分に、位置調整手段の一部を構成する左調整摘み１３Ｌと右調整摘み１３Ｒがそれぞれ設けられている。
【００１９】
分割波長板フィルター部１２の上端側には、一対の取り付け螺子１４、１４が設けられており、これら取り付け螺子１４、１４は、この分割波長板フィルター部１２の装着時に、分割波長板フィルター部１２の上端部に設けられた図示しない穴を介して、液晶パネル部２２の支持フレーム２７に形成された螺合穴２９に螺合される。
【００２０】
これにより、分割波長板フィルター部１２の各帯状の分割波長板の延長方向即ち水平方向と垂直な方向への位置の微調整を含む分割波長板フィルター部１２の回転制御も可能である。
【００２１】
図１２はこの立体画像表示装置１０の分解斜視図である。液晶パネル側の構成と、分割波長板フィルター部の構成が合わされて、立体表示が可能となる。液晶パネル側の構造は、一対の透明支持基体３１、３３の間に、液晶の画素部３２が配設される構造とであり、液晶の画素部３２はそれぞれ赤色画素部３２Ｒ、緑色画素部３２Ｇ、青色画素部３２Ｂの組み合わせからなり、これら３色からなる画素部分がマトリクス状に配列される構造を有している。
【００２２】
透明支持基体３３の観賞者側には、偏光板４１が配設される。偏光板４１を通過した光は直線偏光となり、その直線偏光の光が分割波長板フィルター部に到達する。分割波長板フィルター部は枠体として機能するガラスなどからなる透明支持基体４１の片面（この図においては液晶パネル側）に各帯状の分割波長板４２が形成されている。分割波長板４２はそれぞれ長手方向を水平方向とするように延在されており、その帯状の幅は前述の液晶の画素部３２の画素ピッチと同程度である。分割波長板４２の数は、液晶の画素部３２の垂直方向の画素数の半分である。
【００２３】
各帯状の分割波長板４２は、液晶の画素部３２の画素ピッチで１ライン置きに形成されている。従って、右眼用の立体画像若しくは左眼用の立体画像のどちらか一方が分割波長板４２を通過することにより、その偏光方向が９０度回転することになり、分割波長板４２を通過しない側の立体画像は、その偏光方向が回転せずにそのまま射出する。
【００２４】
枠体としての透明支持基体４１の底部には、水平保持部材１５が取り付けられており、その両端側の一部に後述するような左調整摘み１３Ｌと右調整摘み１３Ｒなどの位置調整手段が取り付けられる螺子穴４４Ｌ、４４Ｒが形成されている。この調整機構については後述する。
【００２５】
立体表示を行うためには、ライン毎で異なる偏光方向に制御され、分割波長板４２を透過した時点では、直交する２種類の直線偏光が混在するものとなる。観賞者は図１２（ｂ）に示すような偏光めがね５１をかけ、右眼用の立体画像及び左眼用の立体画像を選択的に両眼で受け取るが、それぞれめがねのレンズ部分５２Ｒ、５２Ｌは偏光フィルターであり、直線偏光との角度が合わない場合は、立体画像が見え難くなる。
【００２６】
そこで、さらに分割波長板フィルター部の外側部分に、４分の１波長板４５が形成され、これにより、直線偏光を円偏光に変換し、偏光めがね５１の表面にも４分の１波長板５３を貼り付けることで、再度円偏光を直線偏光に変えて偏光めがね５１を透過するようにしている。このような一対の４分の１波長板４５、５３を設けることにより、多少偏光方向が少しずれるような場合であっても、立体画像を確実に見ることができる。
【００２７】
この立体画像表示装置１０では、図１３に示すような画像信号が用いられる。即ち、垂直同期信号のパルスで区切られた水平走査期間は、ライン毎に交互に右眼用画像データと左眼用画像データが送られ、ライン毎に交互に右眼用画像データＲと左眼用画像データＬに従って、右眼用の区分と左眼用の区分がライン毎に交互に並ぶことになる。従って、液晶パネルのある画素ラインが右眼用画像データＲを表示するものである場合、次の画素ラインは左眼用画像データＬを表示するものとなり、以下、右眼用の区分と左眼用の区分がライン毎に交互に繰り返されて、全体として立体画像が表示されることになる。
【００２８】
このように、分割波長板フィルター部を通常の液晶パネルなどに装着することにより、簡単に立体画像を観賞することができる。ところが、表示装置の画素部と分割波長板フィルター部の位置関係が正しく調整されていない場合には、典型的には、図１４に示すように、表示装置の画素部３２と分割波長板４２の如き関係となり、分割波長板４２を形成した分割波長板フィルター部が僅かに傾いていても、垂直方向のズレ量ｚ１が画素の数〜数十％ずれていると、そのズレの絶対量が例えば画素２５０μｍとして５０μｍ程度であっても本来対応する画素からの光線に前記所定の分割波長板４２を透過しないものが出てきてしまい、その結果、各画像のクロストークが発生してしまうことがある。
【００２９】
このようなクロストークの発生を抑制することが、最適な立体画像を表示するために必要となり、そのための位置調整作業が必要となる。図１５は位置調整作業によって、正しい位置に位置合わせされたところを示す図であり、図示の如く、表示装置の画素部３２の画素ライン上に丁度重なるように帯状に形成された分割波長板４２が配設され、分割波長板４２に対応した画素部３２からの光線は、必ず対応する分割波長板４２の区分を透過し、上記対応画素部以外の画素からの光線は分割波長板４２内の領域を透過することがない。このためクロストークが発生せずに、良好な立体画像が表示されることになる。
【００３０】
既述した位置調整手段（図１１参照）は１６に示すように、断面がコ字状となっている。この水平支持部材１５は図１８に示すように、半固定樹脂剤１７を介して透明支持基体４１の下端に装着されている。このような半固定樹脂剤１７を介することにより、透明支持基体４１から完全に水平支持部材１５が離脱することが防止されると共に、左調整摘み１３Ｌ、右調整摘み１３Ｒの操作によって透明支持基体４１の位置が微調整された場合であっても対応しながら透明支持基体４１と水平支持部材１５の間を接続する。
【００３１】
透明支持基体４１の上端には上端部材１６が装着されており、この上端部材１６の内部には弾性部材であるばね（図示せず）が左右一対配設されている。ばねの上端は上端部材１６の内側に当接するように配設され、下端は透明支持基体４１の上側面に当接する。このようなばねを形成することにより、左調整摘み１３Ｌと右調整摘み１３Ｒによる微調整が可能となり、分割波長板フィルターの延長方向とは垂直な高さ方向の調整も容易に進めることができる。
【００３２】
位置調整手段としての左調整摘み１３Ｌと右調整摘み１３Ｒは、いわゆる偏芯ねじを用いた構造を有する。左調整摘み１３Ｌ、右調整摘み１３Ｒとその周辺部についての背面図が図１７である、図１８はその断面図である。
【００３３】
図１７及び図１８に示すように、調整摘み１３Ｌ、１３Ｒは、位置調整機構として透明支持基体４１の下端部に設けられており、水平支持部材１５を貫通するように形成された螺子穴に螺合するように、調整摘み１３Ｌ、１３Ｒの回動中心から偏芯した形で螺子棒８２が形成されている。螺子棒８２の先端部８３は、透明支持基体４１の下端切欠き部４１ｄの基体厚の側面部分に当接しており、調整摘み１３Ｌ、１３Ｒの回動動作によって、透明支持基体４１の下端切欠き部４１ｄを押し上げたり、重力などによって当接しながら透明支持基体４１を下降させたりする。
【００３４】
図１７では、時計方向回りで調整摘み１３Ｌ、１３Ｒを回すことにより、透明支持基体４１の下端切欠き部４１ｄを上昇させ、反時計方向回りで調整摘み１３Ｌ、１３Ｒを回すことにより、透明支持基体４１の下端切欠き部４１ｄを下降させることができる。また、下端切欠き部４１ｄによって、図１８に示すように、透明支持基体４１の端面がくびれ状になり、円滑な調整摘み１３Ｌ、１３Ｒの回動操作が可能となる。
【００３５】
調整摘み１３Ｌ、１３Ｒの回動操作は、周囲に滑り止めの凹凸を形成した円盤部８１を操作することにより、容易に行うことができる。螺子棒８２は曲部８４で曲げられた構造を有しているが、クランク状の螺子棒などによって構成することも可能である。また、円盤部８１の回転のための中心についても、水平支持部材１５を貫通するように形成された螺子穴に限らず、他の部材を回転中心とするような変形も可能である。
【００３６】
図１９は、上記した位置調整手段による位置調整のプロセスを示すフロー図である。即ち、位置調整に際しては、例えば指先で、図１７に示したように、左調整摘み１３Ｌと右調整摘み１３Ｒをそれぞれ操作することにより、従来不可能であった表示画面の状態を観賞しながらの状態で、簡単確実に各々フィルター波長板の高さ位置調整を行うことができる。各調整摘み１３Ｌ、１３Ｒは、その外周部を指先で回転させることにより上下方向に分割波長板フィルター部１２の位置を微調整できる。つまり、左調整摘み１３Ｌと右調整摘み１３Ｒの両方を同時に同じように操作した場合は、左調整摘み１３Ｌと右調整摘み１３Ｒは実質的に同一構成であるため、上下方向に微調整Ｓ１１でき、左調整摘み１３Ｌと右調整摘み１３Ｒの一方を操作した場合は、操作した側だけが上下方向に微調整Ｓ１２され、回転ずれの調整や水平だしの調整を行う。このような調整は調整用の表示パターンをモニターしながら決定され、問題がなければ調整完了Ｓ１３となる。
【００３７】
図２０乃至図２３は、調整時に表示装置に表示する調整パターンについての説明図である。図２０は、調整時に表示装置に表示する調整パターンの一例を示したものであり、表示装置に表示されるのは調整パターン１１２のように黒色Ｒの文字と黒色Ｌの文字が重なって構成され、さらにＲの文字の赤色背景１１０とＬの文字の緑色背景１１１がライン毎に交互に表示されたパターンとされる。Ｒの文字の赤色背景１１０は右眼用の画像であり、Ｌの文字の緑色背景１１１が左眼用の画像である。
【００３８】
この調整パターン１１２は、仮に偏光めがねなしで見た場合には、調整パターン１１２のそのままの形で表示されているように見ることができるが、分割波長板フィルター部の位置が正しい場合は、図２１に示すように、偏光めがね１１４をかけた際に、左眼にＬの文字の緑色背景１１１が映り、右眼にＲの文字の赤色背景１１０が映ることになる。
【００３９】
ところが、分割波長板フィルター部の位置がずれている場合は、右眼用の画像が一部分割波長板の一部を通過するため（例えば図１４参照）、偏光の向きが回転する。そのため右眼用の画像の一部が偏光めがねの左眼用レンズを透過して左眼に見えてしまう。また、左眼用の画像の一部が分割波長板を通過せずに、偏光が回転しないまま偏光めがねの右眼用レンズを透過して右眼に見えてしまう。このように分割波長板フィルター部が傾いている場合には、右眼と左眼の両方でそれぞれ２つの背景色１１１、１１０が映ることになる。
【００４０】
また、分割波長板フィルター部の位置が縦方向にずれていると、例えば、本来分割波長板を通過しない右眼用の画像が分割波長板を通過してしまい、同時に本来分割波長板を通過する左眼用の画像が分割波長板を通過しないことになる。その結果、右眼用の画像が逆の左眼用のレンズを透過して左眼に映り、左眼用の画像が逆の右眼用のレンズを透過して右眼に映ることになる。
【００４１】
従って、以上のような混色状態が発生している場合や、左右の画像が逆な場合では、直ちに分割波長板フィルター部の位置がずれていることがわかることになり、そのような位置ずれを前述の調整摘み１３Ｌ、１３Ｒ、９０Ｌ、９０Ｒで調整することにより、容易に正確な位置に調整することができる。
【００４２】
図２２、図２３は調整時に表示装置に表示する調整パターンの他の例であり、図２２に示すように、表示装置に表示されるのは調整パターン１０３のように、黒色○の文字と黒色×の文字が重なって構成され、さらに○の文字の赤色背景１０１と×の文字の緑色背景１０３が、ライン毎に交互に表示されたパターンとされる。黒○の文字の赤色背景１０１は右眼用の画像であり、黒×の文字の緑色背景１０２が左眼用の画像である。
【００４３】
この調整パターン１０３は、仮に偏光めがねなしで見た場合には、調整パターン１０３のそのままの形で表示されているように見ることができるが、分割波長板フィルター部の位置が正しい場合では、図２３に示すように、両眼に右眼用の偏光フィルターを設けた調整用の偏光めがね１１５をかけた際に、両眼に○の文字の赤色背景１０４が映ることになる。この黒○の文字の赤色背景１０４が分割波長板フィルター部の位置が適性な位置であることを示し、このような黒○の文字の赤色背景１０４が映らない場合には、直ちに分割波長板フィルター部の位置がずれていることがわかることになり、そのような位置ずれを前述の調整摘み１３Ｌ、１３Ｒ、９０Ｌ、９０Ｒで調整することにより、容易に正確な位置に調整することができる。特に、両眼での観測ができるため、片目をつぶるのが苦手な使用者でも容易に分割波長板フィルター部の位置調整が可能になる。
【００４４】
図２４は調整時のフローチャートである。立体画像を表示する場合には、図１１のノート型コンピューター１１は、手順Ｓ２１で立体画像表示用のアプリケーションを開くことになり、この動作によって自動的に図２２又は図２０のような調整パターン１１２、１０３が画面に表示される（手順Ｓ２２）。使用者は、この調整パターン１１２、１０３を偏光めがねを見ながら位置調整作業を進めることができ（手順Ｓ２３）、調整が完了するまで繰り返される（手順Ｓ２４）。調整が完了すると、続いてマニュアルで若しくは自動的に立体画像を表示する段階に至り（手順Ｓ２５）、調整を終了する。
【００４５】
このような調整時のフローチャートを採用することにより、立体画像表示用のアプリケーションの開始時には、必ず立体画像表示の調整が行われることになり、立体画像表示が初めての使用者でも調整作業から開始させることができる。
【００４６】
図２５はバックライト機構の立体画像表示装置の例であり、本例においては偏光めがねが不要となる。本例では、バックライト機構部として偏光フィルター１２９Ｌ、１２９Ｒを介して互いに直交する偏光方向の光源と、液晶パネル側の構成と、分割波長板フィルター部の構成が合わされて、立体表示が可能となる。液晶パネル側の構造は、一対の透明支持基体１２１、１２３の間に、液晶の画素部１２２が配設される構造とされ、液晶の画素部１２２は３色からなる画素部分がマトリクス状に配列される構造を有している。
【００４７】
透明支持基体１２３の光源側には、偏光板１２４が配設される。分割波長板フィルター部は枠体として機能するガラスなどからなる透明支持基体１２５の片面、本例においては液晶パネル側に各帯状の分割波長板１２６が形成されている。分割波長板１２６はそれぞれ長手方向を水平方向とするように延在されており、その帯状の幅は前述の液晶の画素部１２２の画素ピッチと同程度である。分割波長板１２６の数は、液晶の画素部１２２の垂直方向の画素数の半分である。
【００４８】
枠体としての透明支持基体１２５の底部には、前述の水平保持部材１５と同様な水平保持部材１２７が取り付けられており、その両端側の一部に後述するような左調整摘みと右調整摘みなどの位置調整手段が取り付けられる螺子穴１２８が形成されている。
【００４９】
この調整機構に取り付けられる左調整摘みと右調整摘みなどの位置調整手段を用いることにより、確実に透明支持基体１２５の位置調整を図ることができ、最適化された立体画像を見ることができる。なお、図２５に示したように、この方式では、分割波長板フィルター位置が表示面の裏側になっているので、観賞時には直接調整機構に物理的に触れることは困難であり、調整後に必要に応じて再調整という使用方法をとることができ、または、調整機構を電動で動くようにしてその操作部を観察者側の表示面に設けるようにしてもよい。
【００５０】
【発明が解決しようとする課題】
上記したように、先願発明による分割波長板部１２の位置調整機構として、透明支持体の下部の左右に一対の位置調整手段１３Ｌ、１３Ｒを設けたことにより、分割波長板フィルター部の位置をリアルタイムで確認しながら、確実に最適化できる優れた特徴を有しているが、本発明者が更に検討を重ねた結果、なおも改善の余地があることを発見し、本発明に到達したものである。
【００５１】
即ち、本発明の目的は、先願発明の優れた特長を生かしつつ、操作性を一層向上させて分割波長板フィルターを位置調整できる機構及び立体画像表示装置を提供することにある。
【００５２】
【課題を解決するための手段】
即ち、本発明は、画像表示部において視差に対応して分割された各画像領域からそれぞれ得られた光の偏光方向を制御する分割波長板フィルターを、前記画像表示部の枠体内に位置調整可能に取付けるための位置調整機構であって、
前記分割波長板フィルターと前記画像表示部との相対位置が前記枠体の側部及び／又は上部にて調整されるように構成されている、
分割波長板フィルターの位置調整機構（以下、本発明の第１の位置調整機構と称する。）に係るものである。
【００５３】
本発明の第１の位置調整機構によれば、分割波長板フィルターと画像表示部との相対位置を、枠体の側部及び／又は上部にて調整しているので、画像表示部（特に画素）に対し最適化された位置に分割波長板フィルターを設置でき、常に良好な立体画像を見ることができる。そして、枠体の側部又は上部、又は枠体の側部及び上部において位置調整手段を操作することができるため、画像表示部の前面側のキーボード等が存在する枠体下部で位置調整手段を操作する場合に比べて、キーボード等で制約されることなしに、容易かつ確実に画像表示部と分割波長板フィルターとの相対位置を操作性良く調整することができる。
【００５４】
また、本発明は、画像表示部において視差に対応して分割された各画像領域からそれぞれ得られた光の偏光方向を制御する分割波長板フィルターを、前記画像表示部の枠体内に位置調整可能に取付けるための位置調整機構であって、
前記分割波長板フィルターと前記画像表示部との相対位置を前記枠体の下部にて調整する手段を有し、この位置調整手段が前記枠体に対して摺動可能に設けられている、
分割波長板フィルターの位置調整機構（以下、本発明の第２の位置調整機構と称する。）に係るものである。
【００５５】
本発明の第２の位置調整機構によれば、分割波長板フィルターと画像表示部との相対位置を、枠体の下部にて調整する調整手段を有し、この位置調整手段が枠体に対して摺動可能としたので画像表示部（特に画素）に対し最適化された位置に分割波長板フィルターを設置でき、常に良好な立体画像を見ることができる。そして、分割波長板フィルターの位置調整を行う際は、位置調整手段を摺動させればよいため、枠体下部でねじ部を回動させる場合の位置調整手段の操作に比べて、位置調整手段を操作性良く操作でき、画像表示部と分割波長板フィルターとの相対位置を容易に調整することができる。
【００５６】
また、本発明は、上記した第１の位置調整機構又は第２の位置調整機構と同様に、これらの位置調整機構を構成する位置調整手段のいずれか具備する位置調整機構が画像表示部に配置された、立体画像表示装置（以下、本発明の表示装置と称する。）に係るものである。
【００５７】
本発明の表示装置によれば、分割波長板フィルターを枠体の側部及び／又は上部にて位置調整するように構成されるか、或いは枠体下部にて摺動可能に構成された位置調整手段を有する位置調整機構が、画像表示部に配置されているので、上記した本発明の第１及び第２の位置調整機構と同様に、枠体の側部及び／又は上部における位置調整により容易に分割波長板フィルターと画像表示部との相対位置の調整が可能となる立体画像表示装置を提供することができる。
【００５８】
【発明の実施の形態】
以下、本発明の実施の形態を説明する。
【００５９】
上記した本発明の第１の位置調整機構、第２の位置調整機構及び表示装置においては、前記位置調整の手段が、前記枠体の各辺において少なくとも１箇所に設けられ、前記分割波長板フィルターがその分割方向に対してほぼ垂直方向及び／又は平行方向に可動されることが望ましい。
【００６０】
そして、前記位置調整の手段が、前記分割波長板フィルターの側面又は表面に接触してこれを可動させるように、回動式に構成されていることが、操作性の点から望ましい。
【００６１】
この場合、前記回動式の位置調整手段が、回動式摘み又は回動式カムからなっていてもよく、又は、分割波長板フィルターの側面又は表面に圧接されるようにしてもよい。
【００６２】
また、前記位置調整の手段が、前記枠体の上部から前記分割波長板フィルターを吊下げる吊下げ手段に取付けられていてもよい。
【００６３】
また、前記位置調整の手段が、前記分割波長板フィルターの下端面に接触してこれを可動させるようにスライド式に構成してもよい。
【００６４】
この場合、分割波長板フィルターの下端面を支持する支持手段として構成し、分割波長板フィルターの下端面が前記支持手段に係合する上向きの傾斜面を有するように形成することが望ましい。
【００６５】
また、前記枠体の下辺が前記位置調整手段に係合する下向き傾斜面を有するように形成してもよい。
【００６６】
このように、分割波長板フィルターの下端面または枠体の下辺に傾斜面を設ける場合は、分割波長板フィルターを下方へ付勢する付勢手段が設けられていることが、分割波長板フィルターを機械的に押し下げることにより、調整作業がスムーズに行えると共に、確実な調整ができる点で望ましい。
【００６７】
更に、前記傾斜面が少なくとも１箇所（好ましくは、左右に）に設けられていることが望ましい。
【００６８】
そして、前記位置調整手段が、前記位置調整後に前記分割波長板フィルターに対し位置固定されることが、調整した位置を安定して保持できる点で望ましい。
【００６９】
次に、上記した実施の形態を図面参照下で具体的に説明する。
【００７０】
実施の形態１
図１は、本実施の形態による位置調整機構（第１の位置調整機構）１を有する立体像表示装置（但し、キーボード部は図示省略）を示し、（ａ）は概略正面図、（ｂ）はＡ部を示す概略拡大図、（ｃ）は他の一例を示す概略拡大図である。
【００７１】
即ち、この位置調整機構１においては、フレーム（外筐）２の内側に位置調整可能に取付けられる分割波長板フィルター３は、図１２と同様に、ガラス基板３ａ上に帯状に分割波長板３ｂを設けたもの（以下の他の実施の形態でも同様）であって、フレーム２の内側に所定の間隙Ｇを形成して配置され、フレーム２の側部２ａに設けられた位置調整手段としてのカム付きボルト４によって位置調整される。その他の構成は、液晶パネル部も含めて図１１及び図１２に示した先願発明と同様であるので、説明を省略する（以下の他の実施の形態でも同様）。
【００７２】
図１（ｂ）は、図１（ａ）のＡ部の拡大詳細図を示す。図示の如く分割波長板フィルター３は、フレーム２の側部２ａに螺合したカム付きボルト４のカム４ａによって可動される。このカム付きボルト４はフレーム２の両側部２ａに設けられており、カム付きボルト４を回動させることにより、カム４ａに押されて内方へ可動する。従って、左右のカム付きボルト４を互いに反対方向へ回動させることにより、分割波長板フィルター３は横方向へ可動する。なお、ガラス基板３ａ及び分割波長板３ｂについては以下の図（図２〜図８）では図示省略する。
【００７３】
図１（ｃ）は、図１（ａ）のＡ部の他の例を示す拡大概略図を示す。即ち、この例の場合、分割波長板フィルター３の両側面において、所定間隔に配置された２つの凸状の係合片３ｃの間にカム付きボルト４のカム４ａが係合し、カム付きボルト４の回動により、カム４ａが係合片３ａを介して分割波長板フィルター３を上下方向に可動する。
【００７４】
カム付きボルト４はフレーム２両側部２ａに配され、フレーム２のねじ孔に螺合しており、両方のカム付きボルト４を互いに反する方向に回動させることにより、分割波長板フィルター３は全体が上方又は下方へ可動する。また、片方のカム付きボルト４のみを回動させることにより、分割波長板フィルター３はカム付きボルト４を回動させた側のみが上下方向に可動する。
【００７５】
従って、両方のカム付きボルト４を同時に反する方向に回動させる操作により、帯状の分割波長板フィルター３と画素部３２の画素ライン（図１５参照）との上下方向の位置合せをすることができ、また、片方のカム付きボルト４を回動させることにより、帯状の分割波長板フィルター３と画素部３２の画素ラインとの傾きによるずれ（図１４参照）を正常に調整することができる。
【００７６】
このように、図１（ｂ）及び（ｃ）は、それぞれが特有の機能を有し、分割波長板フィルター３と画素部３２の画素ラインに対して、双方の位置ずれの調整に効果的に作用する位置調整手段であり、いずれの方式であってもよい。また、カムの形状や位置調整の仕組みは、これに限らず適宜であってよい。
【００７７】
なお、例えばクリップ５等を設け、カム付きボルト４で上記したように位置調整した後に、或いはカム付きボルト４等は設けないで調整は観賞者が手で行った後に、分割波長板フィルター３とフレーム２とをクリップ５で固定するようにしてよい。そして、この位置調整及び位置固定後は、図１２（ｂ）や図２５に示したと同様に、偏光めがね又は偏光板を通して立体画像を見ることができる（以下の他の実施の形態でも同様）。
【００７８】
位置調整後の分割波長板フィルターの固定は、例えば図７に示すように行うこともできる（以下の他の実施の形態でも同様）。
【００７９】
図７は、フレーム２に対する分割波長板フィルター３の固定方法の一例を示し、（ａ）は概略正面図、（ｂ）は（ａ）のＶＩＩｂ−ＶＩＩｂ線断面図を示す。
【００８０】
即ち、図７（ａ）に示すように、弾性ばねからなる断面折曲形状の固定部材４５を分割波長板フィルター３の両側部のそれぞれ２箇所に摺接可能に設ける。
【００８１】
図７（ｂ）に示すように、この固定部材４５の一端部４５ａが分割波長板フィルター３と枠体２との間に形成された間隙に挿通されて挟着され、他端部４５ｂが分割波長板フィルター３の表面に弾性的に当接して液晶表示部２８の方へ分割波長板フィルター３を付勢して圧接させる。これにより、固定部材４５は、上記したようにフィルター３を矢印のように左右又は上下方向に位置調整するときには、フィルター３に摺接するガイドとしての機能を有し、また位置調整後は、分割波長板フィルター３を位置固定するようになっている。
【００８２】
固定部４５の配置は両側部に限らず、上部及び下部でもよく、若しくは両側及び上下の各辺に設けてもよく、数は各辺に１個または３個以上であってもよい。また、固定部材４５のフレーム２及び分割波長板フィルター３との接触面にパッキン又は粘着剤等を併用してもよい。
【００８３】
上記したように、本実施の形態によれば、この分割波長板フィルターの位置調整機構を、例えば図１１に示した立体画像表示装置１０に具備させることにより、フレーム２の側部２ａにて行うことができるので、画素部に対し最適化された位置に分割波長板フィルター３を設置でき、常に良好な立体画像を見ることができる。そして、位置調整時にはキーボード等によって調整操作が制約されることなく、先願発明におけるフレーム下部での位置調整に比べて、容易に調整が可能な立体画像表示装置を構成することができる。
【００８４】
実施の形態２
図２は、本実施の形態による位置調整機構（第１の位置調整機構）１Ａを有する立体画像表示装置（但し、キーボードは図示省略）を示し、（ａ）は概略正面図、（ｂ）は（ａ）のＩＩｂ−ＩＩｂ線断面図である。
【００８５】
即ち、この位置調整機構１Ａは、分割波長板フィルター３を支持する枠９が分割波長板フィルター３の外縁に設けられ、枠９の上部において、吊り下げ手段としての吊り金具７がこの枠９に固定され、この吊り金具７に対して、上方からフレーム２のねじ孔に螺合してフレーム２を貫通するボルト６が設けられ、ボルト６の先端が図２（ｂ）に示すように、吊り金具７に回動自在に軸着され、フレーム２の上面にボルト６の摘み部６ａが形成されている。
【００８６】
従って、分割波長板フィルター３の両側部及び下部を支持するものがなく、フリーな状態で吊り下げられているので、フレーム２の上面の摘み部６ａを回動させる操作により、ボルト６が上方または下方へ進退するため、両方のボルト６をその摘み部６ａによって同一方向に回動させれば、分割波長板フィルター３全体が上下方向に回動する。また、片方のボルト６のみを回動させることにより、分割波長板フィルター３は回動させたボルト６側のみが上下方向に可動する。
【００８７】
これにより、両方のボルト６を同時に同一方向に回動させる操作をすれば、帯状の分割波長板フィルター３と画素部３２の画素ライン（図１５参照）との上下方向の位置合せをすることができ、また、片方のボルト６を回動させれば、帯状の分割波長板フィルター３と画素部３２の画素ラインとの傾きによるずれ（図１４参照）の調整を容易に行うことができる。
【００８８】
なお、図２において、上部に仮想線にて示した符号３０は、フレーム２の上部に設けたボルト６の摘み部６ａ及び後述する偏光板の支軸を被覆するための化粧カバーである。この化粧カバーは、図８のように用いることができる。
【００８９】
図８は、上記の如く、位置調整後の分割波長板フィルター部を介して、立体画像表示装置１０の液晶表示部２８を観察する例を示す斜視図を示す。
【００９０】
即ち、図１１に示した立体画像表示装置１０において、フレーム２の上部に、偏光板４８を支持する支持棒４７の支軸４６が、例えばワンタッチで装着可能な取付け部が設けられる。そして画面と偏光板４８との間が所定の距離に構成され、偏光めがねなしで立体画像を観察できるものであり、観賞者は、上記のようにして位置調整後の液晶表示部２８の立体画像を、この偏光板４８を介して観察することもできる。
【００９１】
上記した如く、本実施の形態のボルト６はフレーム２に螺合する構造であるが、フレーム２に接する部分には、ボルト６はねじ山を設けないで遊嵌させ、ボルト６の先端部を吊り金具７に螺合させ、ボルト６の回動により吊り金具７が分割波長板フィルター３と共に可動するようにしてもよい。また、上記したボルト６、摘み部６ａ及び吊り金具７等の構造や形状等はこれに限らず適宜に実施できる。
【００９２】
上記したように、本実施の形態によれば、例えば図１１に示した立体画像表示装置１０に分割波長板フィルター３の位置調整機構を具備させて、フレーム２の上部において調整が行うことにより、画素部に対し最適化された位置に分割波長板フィルター３を設置でき、常に良好な立体画像を見ることができる。そして、位置調整時にはキーボード等が存在しない場所で操作できるため、先願発明におけるフレーム下部での位置調整に比べて、容易に調整が可能な立体画像表示装置を構成することができる。
【００９３】
実施の形態３
図３は、本実施の形態による位置調整機構（第１の調整機構）１Ｂを有する立体画像表示装置（但し、キーボードは図示省略）を示し、（ａ）は概略正面図、（ｂ）は（ａ）のＩＩＩｂ−ＩＩＩｂ線拡大断面図、（ｃ）は同断面の変形例の概略図である。
【００９４】
即ち、この位置調整機構１Ｂは、フレーム２の内側に調整可能に取付けられた分割波長板フィルター３が、フレーム２の内側にフレーム２との間に所定間隙（図示省略）を形成して配置され、分割波長板フィルター３と画像部３２の画像ラインとの位置調整手段は、例えば、図３（ｂ）に示すように構成される。
【００９５】
即ち、図３（ｂ）に示すように、フレーム２に軸着されて矢印方向に起伏可能に支軸１８が形成され、この支軸１８の先端部にローラー１９が軸着された位置調整手段によって位置調整を行うものであり、位置調整した後は、ローラー１９近傍の支軸１８の下面に設けられた粘着材８（例えば粘着テープ）により、この位置調整手段を分割波長板フィルター３の表面に粘着させ、分割波長板フィルター３を固定する。
【００９６】
調整に際しては、まず支軸１８を倒してその先端部のローラー１９を分割波長板フィルター３に当接させ、指先でローラー１９を押えながら必要な方向に回せば、滑り止めが施されたローラー１９の接触摩擦により分割波長板フィルター３が所望の方向へ可動される。調整後は支軸１８の先端を押圧することにより、先端部の下面に設けた固定材８にて分割波長板フィルター３が固定される。
【００９７】
このローラー１９付き位置調整手段は、フレーム２の両側部又は上下部に設けてその他はローラー１９なしの構造でもよく、全てをローラー１９付きの構造にしてもよい。
【００９８】
また、観察者が指先で分割波長板フィルター３を動かして調整することもでき、調整後は図３（ｃ）のように、例えば粘着テープ８を用いて、分割波長板フィルター３をフレーム２に固定してもよい。
【００９９】
上記したように、本実施の形態によれば、例えば図１１に示した立体画像表示装置１０に分割波長板フィルター３の位置調整機構を具備させて、フレーム２の側部において調整を行うことにより、画素部に対し最適化された位置に分割波長板フィルター３を設置でき、常に良好な立体画像を見ることができる。そして、位置調整時にはキーボード等が存在しない場所で操作できるため、先願発明におけるフレーム下部での位置調整に比べて、容易に調整が可能な立体画像表示装置を構成することができる。
【０１００】
実施の形態４
図４は、本実施の形態による位置調整機構（第２の位置調整機構）１Ｃを有する立体画像表示装置（但し、キーボードは図示省略）を示し、（ａ）は概略平面図、（ｂ）はＢ部の概略拡大図、（ｃ）はＣ部の概略拡大図である。
【０１０１】
即ち、この位置調整機構１Ｃは、フレーム２の内側に調整可能に取付けられた分割波長板フィルター３が、フレーム２の内側にフレーム２との間に所定間隙（図示省略）を形成して配置され、位置調整手段としては、フレーム２の下部に設けられたスライダー３７が分割波長板フィルター３の下面に当接し、スライダー３７の横方向への移動に伴って分割波長板フィルター３が上下方向に可動され、フレーム２の上部に設けられた付勢部４０によって、分割波長板フィルター３の下方への移動を付勢する構造になっている。
【０１０２】
図４（ｂ）に示すように、分割波長板フィルター３の上部中央において、分割波長板フィルター３に固定された支持具３６に一体に設けられた板ばね３５からなる付勢部４０が設けられ、Ｖ型に形成された板ばね３５の両端がフレーム２の上部内面に当接し、分割波長板フィルター３の下方への移動を付勢するようになっている。
【０１０３】
また、図４（ｃ）に示すように、フレーム２の下部内縁に沿って移動可能なスライダー３７が設けられ、分割波長板フィルター３の下面の両端部が上方に傾斜した傾斜面を形成され、スライダー３７の移動に伴い、スライダー３７に当接しながらスライダー３７に支えられている分割波長板フィルター３が、上方から付勢部４０によって付勢され、下方へ可動される。
【０１０４】
このスライダー３７の構造は、図４（ｃ）のＣ’−Ｃ’線断面概略図に示すように、断面がＳ型に形成された係合材３７ｂの上部が、外方へ折曲されてフレーム２の内縁に係合し、その先端に取手３７ａが取付けられ、係合材３７ｂの下部が内方へ折曲されて分割波長板フィルター３を支持する構造になっている。
【０１０５】
従って、両方のスライダー３７をそれぞれ外方向へ移動させれば、分割波長板フィルター３は全体が下方へ可動され、反対に両方のスライダー３７を内方へ移動させれば、分割波長板フィルター３は全体が上方へ可動される。また、いずれか片方のスライダー３７のみを外方または内方へ移動させれば、移動した側のみ分割波長板フィルター３が上方または下方へ可動されるため、斜めの位置ずれを調整できる。
【０１０６】
このように、両方のスライダー３７を同時に、外方または内方へ移動させる操作により、帯状の分割波長板フィルター３と画素部３２の画素ライン（図１５参照）との上下方向のずれの調整を行うことができ、また、片方のスライダー３７のみを外方または内方へ移動させる操作により、帯状の分割波長板フィルター３と画素部３２の画素ラインとの傾きによるずれ（図１４参照）の調整を行うことができる。
【０１０７】
このスライダーとしては図５のような構造を採り入れてもよい。図５は他の一例のスライダー３７Ａを示し、（ａ）は正面図、（ｂ）は（ａ）のＶｂ−Ｖｂ線断面図である。
【０１０８】
このスライダー３７Ａは図５（ｂ）に示すように、内側からベース板６０、スライド板６３の順に配され、ベース板６０に対して上下方向にスライド可能にスライド板６３がカム軸６８を介して結合されている。
【０１０９】
即ち、ベース板６０の上端部は中央が凹部６０ｄに形成され、その両側部６０ｅが内側へ曲折したコ型に形成されて係合部６０ａを形成し、この係合部６０ａがフレーム２の内縁に係合する構造になっている。更にベース板６０は、その本体面６０ｃの中央下寄りの位置に結合孔６０ｂが設けられ、この結合孔６０ｂの上方及び両側方には凸部６１が設けられている（図５（ａ）参照）。
【０１１０】
スライド板６３は、その本体面６３ｃがベース板６０の本体面６０ｃとほぼ同形状に形成され、上端部がベース板６０の中央凹部６０ｄに対応する部分において、ベース板６０の両側部６０ｅよりも上方へ突出して内側へ曲折され、その先端部にて分割波長板フィルター３の下面を支持し易い形状（図示省略）の支持部６３ａが形成されている。更に、スライド板６３は、ベース板６０に設けられた各凸部６１に対応する位置で、上下方向に形成したスロット６４が設けられ、ベース板６０の結合孔６０ｂには後述するカム軸６８の主軸６８ｃが軸着されている。（図５（ｅ）参照）
【０１１１】
カム軸６８は、主軸６８ｃと頭部６８ａとの間が主軸６８ｃよりも拡径された副軸部６８ｂを有している。頭部６８ａとスライド板６３との間には摘み部６６が配され、摘み部６６の中央が凹部６６ｂを形成され、その中心に結合孔６６ａが設けられている。そして上記頭部６８ａが摘み部６６の凹部６６ｂ内に沈んだ状態で、カム軸６８の副軸部６８ｂが、摘み部６６の結合孔６６ａに固定結合され、更にスライド板６３の厚み領域に配された偏芯カム６７の結合孔６７ａに固定結合されている。そしてカム軸６８の主軸６８ｃがベース板６０の結合孔６０ｂに回動自在に軸着されている。
【０１１２】
このような構成により、摘み部６６を回動させれば、カム軸６８の副軸部６８ｂに固定結合された偏芯カム６７が、スライド板６３に設けられたカムガイド６５の内面に沿って摺動し、スライド板６３を高さｈだけ上下動させる。そしてこの上下動は、スライド板６３のスロット６４とベース板６０の凸部６１とが係合しているため、スライド板６３が傾くことなくスムーズに行うことができる。これにより、スライダー３７Ａを横方向へ移動させて位置調整を行うと共に、更に上下方向の微調整を行うことが可能となる。
【０１１３】
上記したように、本実施の形態によれば、分割波長板フィルター３の位置調整機構を、例えば図１１に示した立体画像表示装置１０に具備させて、フレーム２の下部において調整を行うことにより、画素部に対し最適化された位置に分割波長板フィルター３を設置でき、常に良好な立体画像を見ることができる。そして、位置調整時には分割波長板フィルター３の調整位置に対応するスライダー３７のスライド位置を目視で確認しながら操作できるため、先願発明における位置調整に比べて、容易に調整が可能な立体画像表示装置を構成することができる。
【０１１４】
実施の形態５
図６は、本実施の形態による位置調整機構（第２の位置調整機構）１Ｄを有する立体画像表示装置（但し、キーボードは図示省略）を示す概略図（図４（ｃ）に対応）である。
【０１１５】
本実施の形態が上記実施の形態４と異なる点は、傾斜面がフレーム２の両側部に形成されており、分割波長板フィルター３は通常の形状とし、その他は実施の形態４と同様な構成であるので、相違点のみを図示し、その他は図示省略した。なお、実施の形態と共通する部分は同様に機能するので、詳細な説明も相違点のみについて説明する。
【０１１６】
即ち、この位置調整機構１Ｄは、図６に示すように、スライダー３７が係合するフレーム２の下部内縁の外方が下方に傾斜する傾斜面を形成されている。
【０１１７】
従って、両方のスライダー３７を同時にそれぞれ外方または内方へ移動させれば、分割波長板フィルター３は全体が上方または下方へ可動され、また、いずれか片方のスライダー３７のみを外方または内方へ移動させれば、移動した側のみ分割波長板フィルター３が上方または下方へ可動されるため、斜めの位置ずれを調整できる。更に、ガラスを斜め加工する必要がないため、フィルター３の作製が容易であるという利点を有している。
【０１１８】
このように、傾斜面の形成位置が異なるのみで、実施の形態４と同様に操作することにより、同様に機能するので、分割波長板フィルター３と画素部３２の画素ラインとの位置ずれに応じて、最も有効な調整方法を選択して調整を行うことができる。またこの場合も、図５に示したスライダー３７Ａを用いることができる。
【０１１９】
上記したように、本実施の形態によれば、分割波長板フィルター３の位置調整機構を、例えば図１１に示した立体画像表示装置１０に具備させて、フレーム２の下部において調整を行うことにより、画素部に対し最適化された位置に分割波長板フィルター３を設置でき、常に良好な立体画像を見ることができる。そして、位置調整時には分割波長板フィルター３の調整スライダー３７のスライド位置を目視で確認しながら操作できるため、先願発明における位置調整に比べて、容易に調整が可能な立体画像表示装置を構成することができる。また、分割波長板フィルター３は通常の形状のものを用いるので、フィルター基板の斜め加工が不要となる。
【０１２０】
上記した各実施の形態は、本発明の技術的思想に基づいて変形が可能である。
【０１２１】
例えば、側部における位置調整手段としてのカム付きボルト４に代えて、ボルトの基部に、基部側が徐々に拡径された円錐形部を形成し、ボルトをねじ込むことにより、この円錐形部にて分割波長板フィルター３を可動させる構造にしてもよく、ボルトを横方向に螺合させて波長板フィルター３を横方向に可動させるようにしてもよい。
【０１２２】
また、分割波長板フィルター３の端部、またはフレーム２内縁の端部に傾斜面を形成し、これに当接するスライダー３７の移動により分割波長板フィルター３を可動させる構造を、フレーム２または分割波長板フィルター３の側方、または上部に形成してもよい。
【０１２３】
また、実施の形態に示したカム付ボルト４、スライダー３７（３７Ａ）、付勢部４０、固定材８その他各部の構造や形状等も、実施の形態に限らず、適宜であってよい。
【０１２４】
また、実施の形態に示した位置調整機構は、液晶パネルに限らず、発光素子アレイ表示装置、有機エレクトロルミネセンス表示装置、陰極線管、プラズム表示装置などの各種画像表示装置によって構成することができ、上記した分割波長板フィルターはこれら各種の画像表示装置と組み合せて動作させることも可能である。
【０１２５】
また、上述した例のように偏光めがね又は偏光板を眼の位置に配置しないで、これを省略して図２５のように構成にすることもできる。
【０１２６】
偏光めがねを用いない他の例として、特開平１０−６３１９９号公報の図９及び図１０にそれぞれ記載されたパララックスバリア方式またはレンチキュラ方式に構成することも可能であり、更には、同公報の図１に記載された偏光フィルターとフレネルレンズとの組合せ方式にすることもできる。
【０１２７】
【発明の作用効果】
上述した如く、本発明の位置調整機構は、枠体の側部及び／又は上部にて分割波長板フィルターの位置調整を行えるようにしているので、画像表示部（特に画素）に対し最適化された位置に分割波長板フィルターを設置でき、常に良好な立体画像を見ることができる。そして、枠体の側部又は上部、又は枠体の側部及び上部において、位置調整手段を操作することができるため、画像表示部の前面側のキーボード等が存在する枠体下部で位置調整手段を操作する場合に比べて、キーボード等で制約されることなしに容易かつ確実に画像表示部と分割波長板フィルターとの相対位置を操作性良く調整することができる。
【０１２８】
また、枠体の下部に摺動する位置調整手段を設けているので、位置調整手段を枠体に対して摺動可能としたので、画像表示部（特に画素）に対し最適化された位置に分割波長板フィルターを設置でき、常に良好な立体画像を見ることができる。そして、位置調整を行う際は、位置調整手段を摺動させればよいため、枠体下部でねじを回動させ場合の位置調整手段の操作性に比べて、位置調整手段を操作性良く操作できる。
【０１２９】
また、本発明の立体画像表示装置は、枠体の側部及び／又は上部にて位置調整するように構成される、或いは枠体の下部にて摺動可能に構成された位置調整手段を有する位置調整機構が配置されるので、枠体の側部及び／又は上部における位置調整により、容易に分割波長板フィルターと画像表示部との相対位置の調整が可能となる立体画像表示装置を提供することができる。
【図面の簡単な説明】
【図１】本発明の実施の形態１による位置調整機構を有する立体画像表示装置を示し、（ａ）は概略正面図、（ｂ）はＡ部の一例を示す拡大概略図、（ｃ）はＡ部の他の一例を示す拡大概略図である。
【図２】同、実施の形態２による位置調整機構を有する立体画像表示装置を示し、（ａ）は概略平面図、（ｂ）はＩＩｂ−ＩＩｂ線概略拡大断面図である。
【図３】同、実施の形態３による位置調整機構を有する立体画像表示装置を示し、（ａ）は概略平面図、（ｂ）はＩＩＩｂ−ＩＩＩｂ線概略拡大断面図、（ｃ）は同断面の変形例を示す概略拡大断面図である。
【図４】同、実施の形態４による位置調整機構を有する立体画像表示装置を示し、（ａ）は概略平面図、（ｂ）Ｂ部の拡大概略図、（ｃ）はＣ部の概略拡大図である。
【図５】同、実施の形態４におけるスライダーの他の一例を示し、（ａ）は正面図、（ｂ）は（ａ）のＶｂ−Ｖｂ線断面図である。
【図６】同、実施の形態５による位置調整機構を有する立体画像表示装置の要部を示す概略平面図（図４（ｃ）に対応）である。
【図７】同、分割波長板フィルターの固定方法を示し、（ａ）は概略平面図、（ｂ）はＶＩＩｂ−ＶＩＩｂ線概略拡大断面図である。
【図８】同、立体画像表示装置の画像表示部を観察する例を示す斜視図である。
【図９】従来の立体画像表示装置の画素部と分割波長板フィルター部の構造を示す分解模式図である。
【図１０】従来の立体画像表示装置の分割波長板フィルター部の構造を示す概略断面図である。
【図１１】先願発明による立体画像表示装置の斜視図である。
【図１２】同、立体画像表示装置の画素部と分割波長板フィルター部の構造を示す分解模式図である。
【図１３】同、立体画像表示装置に用いられる画像信号の一例を示す波形図である。
【図１４】同、立体画像表示装置の位置調整前の状態を示す斜視図である。
【図１５】同、立体画像表示装置の位置調整済みの状態を示す斜視図である。
【図１６】同、立体画像表示装置の分割波長板フィルター部の構造を示す断面図である。
【図１７】同、立体画像表示装置の分割波長板フィルター部の調整摘みとその周辺部分を示す背面図である。
【図１８】同、立体画像表示装置の分割波長板フィルター部の調整摘みとその周辺部分を示す断面図である。
【図１９】同、立体画像表示装置の分割波長板フィルターの位置調整作業のフローチャートである。
【図２０】同、立体画像表示装置の調整時に表示される調整パターンの一例を示す図である。
【図２１】同、立体画像表示装置の調整時に表示される調整パターンの他の一例を示す図である。
【図２２】同、立体画像表示装置の調整時に表示する調整パターンの他の一例を示す図である。
【図２３】同、立体画像表示装置の調整時に表示する調整パターンの他の一例を示し、適正に調整された際に使用者が見た場合の画面の様子を示す図である。
【図２４】同、立体画像表示装置の分割波長板フィルターの位置調整作業のフローチャートである。
【図２５】同、立体画像表示装置の画素部と分割波長板フィルター部の構造を示す分解模式図である。
【符号の説明】
１…位置調整機構、２…フレーム、２ａ…側部、３…分割波長板フィルター、
３ａ…ガラス基板、３ｂ…分割波長板、３ｃ…係合片、４…カム付きボルト、
４ａ…カム、５…クリップ、６…ボルト、６ａ、６６…摘み部、７…吊り金具、
８…固定材（粘着テープ）、９…枠、１８、４６…支軸、１９…ローラー、
２８…液晶表示部、３０…化粧カバー、３５…板ばね、３６…支持具、
３７、３７Ａ…スライダー、３７ａ…取手、３７ｂ…係合材、
３８、３９…傾斜面、４０…付勢部、４５…固定部材、４５ａ…一端部、
４５ｂ…他端部、４７…支持棒、４８…偏光板、６０…ベース板、６１…凸部、
６３…スライド板、６４…スロット、６５…カムガイド、６７…偏芯カム、
６８…軸
【図１】
2004101714.tif 000003
【図２】
2004101714.tif 000004
【図３】
2004101714.tif 000005
【図４】
2004101714.tif 000006
【図５】
2004101714.tif 000007
【図６】
2004101714.tif 000008
【図７】
2004101714.tif 000009
【図８】
2004101714.tif 000010
【図９】
2004101714.tif 000011
【図１０】
2004101714.tif 000012
【図１１】
2004101714.tif 000013
【図１２】
2004101714.tif 000014
【図１３】
2004101714.tif 000015
【図１４】
2004101714.tif 000016
【図１５】
2004101714.tif 000017
【図１６】
2004101714.tif 000018
【図１７】
2004101714.tif 000019
【図１８】
2004101714.tif 000020
【図１９】
2004101714.tif 000021
【図２０】
2004101714.tif 000022
【図２１】
2004101714.tif 000023
【図２２】
2004101714.tif 000024
【図２３】
2004101714.tif 000025
【図２４】
2004101714.tif 000026
【図２５】
2004101714.tif 000027